(57)【要約】【課題】コストを削減し、且つ、副制御回路が電気的ノイズ又は磁気的ノイズの影響を受けにくい構造を実現する副制御基板ケース及び遊技機を提供する。【解決手段】副制御板ケース４２は、キャビネット及びこのキャビネットに対して開閉可能に取り付けられたフロントドアにより構成された外装体と、キャビネットの内部に配設され、遊技の主な流れを制御する主制御回路を構成する主制御基板と、フロントドアの裏面側に配設され、演出の実行を制御する副制御回路を構成する副制御基板と、を備える遊技機に用いられる。副制御板ケース４２は、ケース本体９１とメッキ部９２とを有する。ケース本体９１は、副制御基板を収容する筐体状に形成され、フロントドアの裏面側に取り付けられる。メッキ部９２は、ケース本体９１の外面全体を覆うように形成されており、電磁波を遮断する。【選択図】図９
2015186706.tif 000002
【特許請求の範囲】
【請求項１】
キャビネット及び前記キャビネットに対して開閉可能に取り付けられたフロントドアにより構成された外装体と、
前記キャビネットの内部に配設され、遊技の主な流れを制御する主制御回路を構成する主制御基板と、
前記フロントドアの裏面側に配設され、演出の実行を制御する副制御回路を構成する副制御基板と、
前記副制御基板を収容する副制御基板ケースと、を備え、
前記副制御基板ケースは、
前記副制御基板を収容すると共に演出用の制御プログラムが記憶されたロムカートリッジ基板を交換可能に収容する筐体状に形成され、前記ロムカートリッジ基板に対向するカートリッジ用開口部が設けられ、前記フロントドアの裏面側に取り付けられるケース本体と、
前記カートリッジ用開口部を封止する封止蓋と、
前記封止蓋と前記ケース本体に取り付けられ、前記封止蓋の取り外しを封印する封印バンドと、
前記ケース本体に段差を設けることにより形成された凹凸部と、
前記ケース本体の外面全体及び前記封止蓋の外面全体を覆うように形成され、外部からの電磁波を遮断するメッキ部と、を有し、
前記メッキ部は、銅の下地メッキと、前記下地メッキ部の上部に施されたニッケルメッキ部とクロメート処理部からなることを特徴とする遊技機。
【請求項２】
前記副制御基板ケースは、前記主制御基板と対向する請求項１に記載の遊技機。
【発明の詳細な説明】
【技術分野】
【０００１】
本発明は、音や映像の表示等による演出の実行を制御する副制御基板を収容する副制御基板ケースを備えた遊技機に関する。
【背景技術】
【０００２】
一般的な遊技機は、リール等を収容するキャビネットと、このキャビネットに対して開閉可能に取り付けられるフロントドアとを備えている。キャビネットに収容されたリールは、フロントドアに設けられた表示窓を介して遊技者に視認される。
【０００３】
キャビネットには、主制御回路を構成する主制御基板が配設されている。この主制御回路は、例えば、プログラム上で乱数を用いて行われる内部当籤役の決定、複数のリールの回転及び停止、複数のリールを停止したときに表示窓に表示された図柄に基づく入賞の有無の判定などの遊技機における遊技の主な流れを制御する。
【０００４】
一方、フロントドアには、副制御回路を構成する副制御基板が配設されている。副制御基板により構成された副制御回路は、音や映像の表示等による演出の実行を制御する。この演出は、例えば、遊技者によるスタートレバーの操作や、主制御回路により決定された内部当籤役などに基づいて副制御回路によって決定される。このようにして実行される演出の中には、例えば、ＡＴ（アシストタイム）又はＡＲＴ（アシストタイムとリプレイタイムを兼ねる特典）に係る遊技者に有利となる情報を報知するものがある。
【０００５】
特許文献１に開示された遊技機は、キャビネットに配設された制御基板（制御回路）と、この制御基板における遊技機の正面側を向く部分を覆うカバー部材とを備えている。カバー部材は、遊技機の内部で生じる静電気などの電気的ノイズ、遊技機外部から付与される電気的ノイズ又は磁気的ノイズの影響により、制御基板（制御回路）が誤作動することを抑制する。このカバー部材は、例えば、板状の部材に、導電性塗料、無電解メッキ金属溶射・アルミ蒸着などからなる電波遮断シートを貼り付けて構成される。
【０００６】
一方、フロントドアに配設される副制御基板においても、遊技機の正面側に向く部分を覆うカバー部材に電波遮断シートを貼り付ける構成が一般的に採用されている。
【先行技術文献】
【特許文献】
【０００７】
【特許文献１】特開２００４−２５４９７５号公報
【発明の概要】
【発明が解決しようとする課題】
【０００８】
しかしながら、特許文献１に開示された遊技機のように、電波遮断シートを用いて電気的ノイズ又は磁気的ノイズの影響を防ぐ構成にすると、電波遮断シートが高価であるため、コスト削減を妨げる要因になる。
【０００９】
また、フロントドアに配設される副制御基板における遊技機の正面側に向く部分を、電波遮断シートを貼り付けたカバー部材で覆っても、副制御基板における遊技機の正面側以外の部分は、電気的ノイズ又は磁気的ノイズの影響を受けてしまう。その結果、副制御回路に誤作動が生じる虞がある。
【００１０】
上述したように、副制御基板により構成された副制御回路は、演出の実行を制御する。この演出の中には遊技者に有利となる情報を報知するものもあるため、副制御回路が誤動作すると、遊技の興趣が低下してしまう。したがって、副制御回路に対する電気的ノイズ又は磁気的ノイズの影響を防止又は抑制して、副制御回路の誤作動を削減することが好ましい。
【００１１】
本発明の目的は、上記従来技術における実情を考慮し、コストを削減し、且つ、副制御回路が電気的ノイズ又は磁気的ノイズの影響を受けにくい構造を実現する副制御基板ケースを備えた遊技機を提供することにある。
【課題を解決するための手段】
【００１２】
本発明の遊技機は、キャビネット及び前記キャビネットに対して開閉可能に取り付けられたフロントドアにより構成された外装体と、前記キャビネットの内部に配設され、遊技の主な流れを制御する主制御回路を構成する主制御基板と、前記フロントドアの裏面側に配設され、演出の実行を制御する副制御回路を構成する副制御基板と、前記副制御基板を収容する副制御基板ケースと、を備え、前記副制御基板ケースは、前記副制御基板を収容すると共に演出用の制御プログラムが記憶されたロムカートリッジ基板を交換可能に収容する筐体状に形成され、前記ロムカートリッジ基板に対向するカートリッジ用開口部が設けられ、前記フロントドアの裏面側に取り付けられるケース本体と、前記カートリッジ用開口部を封止する封止蓋と、前記封止蓋と前記ケース本体に取り付けられ、前記封止蓋の取り外しを封印する封印バンドと、前記ケース本体に段差を設けることにより形成された凹凸部と、前記ケース本体の外面全体及び前記封止蓋の外面全体を覆うように形成され、外部からの電磁波を遮断するメッキ部と、を有し、前記メッキ部は、銅の下地メッキと、前記下地メッキ部の上部に施されたニッケルメッキ部とクロメート処理部からなることを特徴とする。
【００１３】
上記構成の遊技機では、副制御基板を収容する筐体状に形成されケース本体に副制御基板を収容する。そして、ケース本体の外面全体に電磁波を遮断するメッキ部を形成する。これにより、電気的ノイズ又は磁気的ノイズを、副制御基板は収容するケース本体の外面で遮断することができる。その結果、副制御回路が電気的ノイズ又は磁気的ノイズの影響を受けにくい構造を実現することができる。
【００１４】
また、ケース本体の外面全体にメッキ部を形成するため、電波遮断シートを用いるよりもコストの削減を図ることができる。さらに、ケース本体が凹凸や通気口を有していても、ケース本体の外面に容易にメッキ部を形成することができるため、製造作業を単純化することができる。
【発明の効果】
【００１５】
本発明によれば、コストを削減し、且つ、副制御回路が電気的ノイズ又は磁気的ノイズの影響を受けにくい構造を実現することができる。
【図面の簡単な説明】
【００１６】
【図１】本発明の一実施形態における遊技機の機能フローを説明する説明図である。
【図２】本発明の一実施形態における遊技機の外観構成例を示す斜視図である。
【図３】本発明の一実施形態における遊技機の内部構造を示す斜視図である。
【図４】本発明の一実施形態における遊技機のキャビネットの内部を示す説明図である。
【図５】本発明の一実施形態における遊技機のフロントドアの裏面側を示す説明図である。
【図６】本発明の一実施形態における遊技機の制御系を示すブロック図である。
【図７】本発明の一実施形態における遊技機の主制御回路の構成例を示すブロック図である。
【図８】本発明の一実施形態における遊技機の副制御回路の構成例を示すブロック図である。
【図９】本発明の一実施形態における遊技機の副制御基板ケースを示す斜視図である。
【図１０】本発明の一実施形態における遊技機の副制御基板ケースの分解斜視図である。
【発明を実施するための形態】
【００１７】
本発明の副制御基板ケースを備えた遊技機の実施の形態を示すパチスロについて、図１〜図８を参照しながら説明する。はじめに、図１を参照して、遊技機の実施の形態に係る機能フローについて説明する。
【００１８】
本実施の形態のパチスロでは、遊技を行うための遊技媒体としてメダルを用いる。なお、遊技媒体としては、メダル以外にも、コイン、遊技球、遊技用のポイントデータ又はトークン等を適用することもできる。
【００１９】
遊技者によりメダルが投入され、スタートレバーが操作されると、予め定められた数値の範囲（例えば、０〜６５５３５）の乱数から１つの値（以下、乱数値）が抽出される。
【００２０】
内部抽籤手段は、抽出された乱数値に基づいて抽籤を行い、内部当籤役を決定する。この内部抽籤手段は、後述する主制御回路が担う。内部当籤役の決定により、後述の入賞判定ラインに沿って表示を行うことを許可する図柄の組合せが決定される。なお、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００２１】
また、スタートレバーが操作されると、複数のリールの回転が行われる。その後、遊技者によりストップボタンが押されると、リール停止制御手段は、内部当籤役とストップボタンが押されたタイミングとに基づいて、該当するリールの回転を停止する制御を行う。このリール停止制御手段は、後述する主制御回路が担う。
【００２２】
パチスロでは、基本的に、ストップボタンが押されたときから規定時間（１９０ｍｓｅｃ）内に、該当するリールの回転を停止する制御が行われる。本実施の形態では、上記規定時間内にリールの回転に伴って移動する図柄の数を「滑り駒数」と呼び、その最大数を図柄４個分に定める。
【００２３】
リール停止制御手段は、入賞に係る図柄の組合せの表示を許可する内部当籤役が決定されているときは、上記規定時間を利用して、その図柄の組合せが入賞判定ラインに沿って極力表示されるようにリールの回転を停止する。また、リール停止制御手段は、上記規定時間を利用して、内部当籤役によってその表示が許可されていない図柄の組合せが入賞判定ラインに沿って表示されないようにリールの回転を停止する。
【００２４】
こうして、複数のリールの回転がすべて停止されると、入賞判定手段は、入賞判定ラインに沿って表示された図柄の組合せが、入賞に係るものであるか否かの判定を行う。この入賞判定手段は、後述する主制御回路が担う。入賞に係るものであるとの判定が行われると、メダルの払い出し等の特典が遊技者に与えられる。以上のような一連の流れがパチスロにおける１回の遊技として行われる。
【００２５】
また、パチスロでは、前述した一連の流れの中で、液晶表示装置などの表示装置により行う映像の表示、各種ランプにより行う光の出力、スピーカにより行う音の出力、或いはこれらの組合せを利用して様々な演出が行われる。
【００２６】
スタートレバーが操作されると、前述の内部当籤役の決定に用いられた乱数値とは別に、演出用の乱数値（以下、演出用乱数値）が抽出される。演出用乱数値が抽出されると、演出内容決定手段は、内部当籤役に対応づけられた複数種類の演出内容の中から今回実行するものを抽籤により決定する。この演出内容決定手段は、後述する副制御回路が担う。
【００２７】
演出内容が決定されると、演出実行手段は、リールの回転が開始されるとき、各リールの回転がそれぞれ停止されるとき、入賞の有無の判定が行われたとき等の各契機に連動させて演出の実行を進める。この演出実行手段は、後述する副制御回路が担う。このように、パチスロでは、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００２８】
＜パチスロの構造＞
次に、図２〜図５を参照して、一実施形態におけるパチスロ１の構造について説明する。
【００２９】
［外観構造］
図２は、パチスロ１の外部構造を示す斜視図である。
【００３０】
パチスロ１の外装体２は、リールや回路基板等を収容するキャビネット２ａと、キャビネット２ａに対して開閉可能に取り付けられるフロントドア２ｂとを有している。
キャビネット２ａの両側面には、把手７が設けられている。この把手７は、パチスロ１を運搬するときに手をかける凹部である。
【００３１】
キャビネット２ａの内部には、３つのリール３Ｌ，３Ｃ，３Ｒが横並びに設けられている。以下、各リール３Ｌ，３Ｃ，３Ｒを、それぞれ左リール３Ｌ、中リール３Ｃ、右リール３Ｒという。各リール３Ｌ，３Ｃ，３Ｒは、円筒状に形成されたリール本体と、リール本体の周面に装着された透光性のシート材を有している。シート材の表面には、複数（例えば２１個）の図柄が周方向に沿って所定の間隔をあけて描かれている。
【００３２】
フロントドア２ｂの中央には、液晶表示装置１０が設けられている。この液晶表示装置１０は、図柄表示領域４Ｌ，４Ｃ，４Ｒを含む表示画面を備え、正面から見て３つのリール３Ｌ，３Ｃ，３Ｒに重畳する手前側に位置するように設けられている。本実施の形態では、図柄表示領域４Ｌ，４Ｃ，４Ｒを含めた表示画面の全体を使って、映像の表示が行われ、演出が実行される。
【００３３】
図柄表示領域４Ｌ，４Ｃ，４Ｒは、３つのリール３Ｌ，３Ｃ，３Ｒのそれぞれに対応して設けられている。この図柄表示領域４Ｌ，４Ｃ，４Ｒは、表示窓としての機能を果たすものであり、その背後に設けられた各リール３Ｌ，３Ｃ，３Ｒを透過することが可能な構成になっている。以下、図柄表示領域４Ｌ，４Ｃ，４Ｒを、それぞれ左表示窓４Ｌ、中表示窓４Ｃ、右表示窓４Ｒという。
【００３４】
表示窓４Ｌ，４Ｃ，４Ｒは、その背後に設けられたリール３Ｌ，３Ｃ，３Ｒの回転が停止されたとき、各リール３Ｌ，３Ｃ，３Ｒの複数種類の図柄のうち、その枠内における上段、中段及び下段の各領域にそれぞれ１個の図柄（合計で３個）を表示する。各表示窓４Ｌ，４Ｃ，４Ｒが有する上段、中段及び下段からなる３つの領域のうち予め定められたいずれかをそれぞれ組合せてなる擬似的なラインを、入賞か否かの判定を行う対象となるライン（入賞判定ライン）として定義する。
【００３５】
本実施の形態では、入賞判定ラインとしてセンタライン８が設けられている。センタライン８は、左表示窓４Lの中段、中表示窓４Ｃの中段及び右表示窓４Ｒの中段の組合せからなる。
【００３６】
液晶表示装置１０の表示画面の側方には、７セグメントＬＥＤ（Light Emitting Diode）からなる７セグ表示器６が設けられている。この７セグ表示器６は、特典として遊技者に対して払い出すメダルの枚数（以下、払出枚数）、パチスロ内部に預けられているメダルの枚数（以下、クレジット枚数）等の情報をデジタル表示する。
【００３７】
フロントドア２ｂには、遊技者による操作の対象となる各種装置が設けられている。メダル投入口１１は、遊技者によって外部から投下されるメダルを受け入れるために設けられる。メダル投入口１１に受け入れられたメダルは、予め定められた規定数を上限として１回の遊技に投入されることとなり、規定数を超えた分はパチスロ１の内部に預けることが可能となる（いわゆるクレジット機能）。
【００３８】
ＢＥＴボタン１２は、パチスロ１の内部に預けられているメダルから１回の遊技に投入する枚数を決定するために設けられる。精算ボタン１４は、パチスロ１の内部に預けられているメダルを外部に引き出すために設けられる。
【００３９】
スタートレバー１６は、全てのリール（３Ｌ，３Ｃ，３Ｒ）の回転を開始するために設けられる。ストップボタン１７Ｌ，１７Ｃ，１７Ｒは、３つのリール３Ｌ，３Ｃ，３Ｒのそれぞれに対応づけられ、対応するリールの回転を停止するために設けられる。以下、ストップボタン１７Ｌ，１７Ｃ，１７Ｒを、それぞれ左ストップボタン１７Ｌ、中ストップボタン１７Ｃ、右ストップボタン１７Ｒという。
【００４０】
メダル払出口１８は、後述のメダル払出装置３４の駆動により排出されるメダルを外部に導く。メダル払出口１８から排出されたメダルは、メダル受皿１９に貯められる。ランプ（ＬＥＤ等）２０は、演出内容に応じた点消灯のパターンにて光を出力する。スピーカ用孔２１Ｌ，２１Ｒ，２２Ｌ，２２Ｒは、演出内容に応じた効果音や楽曲等の音を出力するために設けられている。
【００４１】
［内部構造］
図３は、パチスロ１の内部構造を示す斜視図である。この図３では、フロントドア２ｂが開放され、フロントドア２ｂの裏面側の構造及びキャビネット２ａの内部の構造が示されている。図４は、キャビネット２ａの内部を示す説明図である。図５は、フロントドア２ｂの裏面側を示す説明図である。
【００４２】
図４に示すように、キャビネット２ａ内部の上側には、主制御回路７１（図７参照）を構成する主制御基板３１が配設されている。主制御回路７１は、内部当籤役の決定、リール３Ｌ，３Ｃ，３Ｒの回転及び停止、入賞の有無の判定といった、パチスロ１における遊技の主な流れを制御する回路である。主制御回路７１の具体的な構成は後述する。
【００４３】
キャビネット２ａの内部の中央には、３つのリール３Ｌ，３Ｃ，３Ｒが設けられている。なお、図４では、各リール３Ｌ，３Ｃ，３Ｒからシート材を取り除いてリール本体を露出させた状態を示している。３つのリール３Ｌ，３Ｃ，３Ｒには、所定の減速比をもったギアを介してステッピングモータが接続されている。
【００４４】
キャビネット２ａ内部を正面から見て、右リール３Ｒの右側には、設定用鍵型スイッチ３２と、外部集中端子板３３が配設されている。設定用鍵型スイッチ３２は、パチスロ１の設定を変更もしくは確認を行うときに使用する。
外部集中端子板３３は、キャビネット２ａの側板に取り付けられている。この外部集中端子板３３は、メダル投入信号、メダル払出信号及びセキュリティー信号などの信号をパチスロ１の外部へ出力するために設けられている。
【００４５】
キャビネット２ａの内部の下方には、多量のメダルを収容可能で、それらを１枚ずつ排出可能な構造を有するメダル払出装置（以下、ホッパー装置）３４が設けられている。このホッパー装置３４は、貯留されたメダルが例えば５０枚を超えたとき、又は精算ボタンが押圧されてメダルの精算を行うときに、メダルを払い出す。ホッパー装置３４によって払い出されたメダルは、メダル払出口１８（図２参照）から排出される。
【００４６】
キャビネット２ａ内部を正面から見て、ホッパー装置３４の右側には、ホッパー装置３４から溢れ出たメダルを収納するメダル補助庫３５が配設されている。また、キャビネット２ａ内部を正面から見て、ホッパー装置３４の左側には、パチスロ１が有する各装置に対して必要な電力を供給するための電源装置３６が設けられている。この電源装置３６は、電源スイッチ３６ａと、電源基板３６ｂ（図６参照）を有している。
【００４７】
また、ホッパー装置３４と３つのリール３Ｌ，３Ｃ，３Ｒとの間には、サブスピーカ３７が配設されている。
【００４８】
図３及び図５に示すように、フロントドア２ｂの裏面における上側には、副制御基板４１（図１０参照）を収容する副制御基板ケース４２が配設されている。副制御基板４１は、副制御基板ケース４２を介してキャビネット２ａの内部の主制御基板３１に対向している。そして、副制御基板４１は、副制御回路８１（図８参照）を構成する。副制御回路８１は、映像の表示等による演出の実行を制御する回路である。副制御回路８１の具体的な構成は後述する。
【００４９】
フロントドア２ｂを裏面側から見て、副制御基板ケース４２の右側方には、副中継基板４３が配設されている。この副中継基板４３は、副制御基板４１と、この副制御基板４１の周辺に配設された基板との配線を中継する基板である。なお、副制御基板４１の周辺に配設される基板としては、後述するＬＥＤ基板４５Ａ，４５Ｂ，４５ＣやサウンドＩ／Ｏ基板４６が挙げられる。
【００５０】
ＬＥＤ基板４５Ａは、フロントドア２ｂの裏面側から見て、副制御基板ケース４２の上方に配設されている。また、ＬＥＤ基板４５Ｂは、フロントドア２ｂの裏面側から見て、副中継基板４３の右側方に配設されており、ＬＥＤ基板４５Ｃは、副中継基板４３の右側方に配設されている。これらＬＥＤ基板４５Ａ，４５Ｂ，４５Ｃは、副制御回路８１（図６参照）の制御により実行される演出に応じて、点滅パターンを表示する。
【００５１】
サウンドＩ／Ｏ基板４６は、フロントドア２ｂの裏面における中央（表示窓４Ｌ，４Ｃ，４Ｒの下側）に配設されている。このサウンドＩ／Ｏ基板４６は、後述するスピーカ４８Ｌ，４８Ｒ，４９Ｌ，４９Ｒへの音声の出力を行う。
【００５２】
サウンドＩ／Ｏ基板４６の下側には、遊技動作表示基板４７が配設されている。この遊技動作表示基板４７は、メダルの投入を受け付けるとき、３つのリール３Ｌ，３Ｃ，３Ｒが回動可能なとき及び再遊技を行うときに、投入されたメダルの枚数を７セグ表示器６に表示させるための基板である。
【００５３】
サウンドＩ／Ｏ基板４６及び遊技動作表示基板４７の左側及び右側には、上部スピーカ４８Ｌ，４８Ｒが配設されている。そして、フロントドア２ｂの裏面における下側には、下部スピーカ４９Ｌ，４９Ｒが配設されている。上部スピーカ４８Ｌ，４８Ｒは、それぞれスピーカ用孔２１Ｌ，２１Ｒに対向しており、下部スピーカ４９Ｌ，４９Ｒは、それぞれスピーカ用孔２２Ｌ，２２Ｒに対向している。
【００５４】
上部スピーカ４８Ｒと下部スピーカ４９Ｒとの間には、セレクタ５１と、ドア開閉監視スイッチ５２が配設されている。セレクタ５１は、メダルの材質や形状等が適正であるか否かを選別する装置であり、メダル投入口１１に受け入れられた適正なメダルをホッパー装置３４へ案内する。セレクタ５１内においてメダルが通過する経路上には、適正なメダルが通過したことを検出するメダルセンサ（不図示）が設けられている。
【００５５】
ドア開閉監視スイッチ５２は、フロントドア２ｂを裏面側から見て、セレクタ５１の左側に配置されている。このドア開閉監視スイッチ５２は、パチスロ１の外部へ、フロントドア２ｂの開閉を報知するためのセキュリティー信号を出力する。
【００５６】
フロントドア２ｂを裏面側から見て、セレクタ５１の右側には、ドア中継基板５３が配設されている。このドア中継基板５３は、主制御基板３１（図４参照）と、各種のボタンやスイッチ、副制御基板４１（図６参照）、遊技動作表示基板４７及びセレクタ５１との配線を中継する基板である。なお、各種のボタン及びスイッチとしては、例えば、ＢＥＴボタン１２、精算ボタン１４、ドア開閉監視スイッチ５２、後述するＢＥＴスイッチ５５及びスタートスイッチ５７等を挙げることができる。
【００５７】
ドア中継基板５３の下側には、２４ｈドア開閉監視ユニット５４が配設されている。この２４ｈドア開閉監視ユニット５４は、フロントドア２ｂの開閉の履歴を保存する。また、フロントドア２ｂを開放したとき、又はセレクタ５１を取り外したときに、液晶表示装置１０にエラー表示を行うための信号を副制御基板４１（副制御回路８１）に出力する。
【００５８】
＜パチスロが備える制御系＞
次に、パチスロ１が備える制御系について、図６を参照して説明する。
図６は、パチスロ１の制御系を示すブロック図である。
【００５９】
パチスロ１は、キャビネット２ａに配設された主制御基板３１と、フロントドア２ｂに配設された副制御基板４１を有している。
主制御基板３１には、設定用鍵型スイッチ３２と、外部集中端子板３３と、ホッパー装置３４と、リール中継端子板３８と、電源装置３６の電源基板３６ｂと、メダル補助庫スイッチ３９が接続されている。設定用鍵型スイッチ３２、外部集中端子板３３及びホッパー装置３４については、上述したため、説明を省略する。
【００６０】
電源装置３６の電源基板３６ｂには、電源スイッチ３６ａと電源プラグ３６ｃが接続されている。電源プラグ３６ｃと、この電源プラグ３６ｃと電源基板３６ｂを接続するコードは、キャビネット２ａの背面部に設けられた貫通孔（不図示）から引き出される。そして、電源プラグ３６ｃは、パチスロ１の外部に設けられた電源コンセントの差し込み口に差し込まれる。
【００６１】
リール中継端子板３８は、各リール３Ｌ，３Ｃ，３Ｒのリール本体の内側に配設されている。このリール中継端子板３８は、各リール３Ｌ，３Ｃ，３Ｒのステッピングモータ（不図示）に電気的に接続されており、主制御基板３１からステッピングモータに出力される信号を中継する。
【００６２】
メダル補助庫スイッチ３９は、メダル補助庫３５に設けられている。このメダル補助庫スイッチ３９は、メダル補助庫３５がメダルで満杯になっているか否かを検出する。
【００６３】
また、主制御基板３１には、ドア中継基板５３を介して、セレクタ５１、ドア開閉監視スイッチ５２、遊技動作表示基板４７、ＢＥＴスイッチ５５、精算スイッチ５６、スタートスイッチ５７、ストップスイッチ基板５８及び副中継基板４３が接続されている。セレクタ５１、ドア開閉監視スイッチ５２及び遊技動作表示基板４７については、上述したため、説明を省略する。
【００６４】
ＢＥＴスイッチ５５は、ＢＥＴボタン１２が遊技者により押されたことを検出する。精算スイッチ５６は、精算ボタン１４が遊技者により押されたことを検出する。スタートスイッチ５７は、スタートレバー１６が遊技者により操作されたこと（開始操作）を検出する。
【００６５】
ストップスイッチ基板５８は、回転しているリールを停止させるための回路と、停止可能なリールをＬＥＤなどにより表示するための回路を構成する基板である。このストップスイッチ基板５８には、ストップスイッチが設けられている。このストップスイッチは、各ストップボタン１７Ｌ，１７Ｃ，１７Ｒが遊技者により押されたこと（停止操作）を検出する。
【００６６】
遊技動作表示基板４７には、７セグ表示器６とＬＥＤ５９が接続されている。ＬＥＤ５９は、例えば、遊技の開始を表示するマークや再遊技を行うマークなどを点灯させる。
【００６７】
副制御基板４１は、ドア中継基板５３と副中継基板４３を介して主制御基板３１に接続されている。この副制御基板４１には、副中継基板４３を介して、ＬＥＤ基板４５Ａ，４５Ｂ，４５Ｃ、サウンドＩ／Ｏ基板４６、２４ｈドア開閉監視ユニット５４が接続されている。これらＬＥＤ基板４５Ａ，４５Ｂ，４５Ｃ、サウンドＩ／Ｏ基板４６及び２４ｈドア開閉監視ユニット５４については、上述したため、説明を省略する。
【００６８】
また、副制御基板４１には、ロムカートリッジ基板６１と、液晶中継基板６２が接続されている。これらロムカートリッジ基板６１及び液晶中継基板６２は、副制御基板４１と共に副制御基板ケース４２に収容されている。
ロムカートリッジ基板６１は、演出用の画像（映像）、音声、ＬＥＤ基板４５Ａ，４５Ｂ，４５Ｃ及び通信のデータを管理するための基板である。液晶中継基板６２は、副制御基板４１と液晶表示装置１０との配線を中継する基板である。
【００６９】
＜主制御回路＞
次に、主制御基板３１により構成される主制御回路７１について、図７を参照して説明する。
図７は、パチスロ１の主制御回路７１の構成例を示すブロック図である。
【００７０】
主制御回路７１は、主制御基板３１上に設置されたマイクロコンピュータ７２を主たる構成要素としている。マイクロコンピュータ７２は、メインＣＰＵ７３、メインＲＯＭ７４及びメインＲＡＭ７５により構成される。
【００７１】
メインＲＯＭ７４には、メインＣＰＵ７３により実行される制御プログラム、データテーブル、副制御回路８１に対して各種制御指令（コマンド）を送信するためのデータ等が記憶されている。メインＲＡＭ７５には、制御プログラムの実行により決定された内部当籤役等の各種データを格納する格納領域が設けられる。
【００７２】
メインＣＰＵ７３には、クロックパルス発生回路７６、分周器７７、乱数発生器７８及びサンプリング回路７９が接続されている。クロックパルス発生回路７６及び分周器７７は、クロックパルスを発生する。メインＣＰＵ７３は、発生されたクロックパルスに基づいて、制御プログラムを実行する。乱数発生器７８は、予め定められた範囲の乱数（例えば、０〜６５５３５）を発生する。サンプリング回路７９は、発生された乱数の中から１つの値を抽出する。
【００７３】
メインＣＰＵ７３は、リールインデックスを検出してから各リール３Ｌ，３Ｃ，３Ｒのステッピングモータに対してパルスを出力した回数をカウントする。これにより、メインＣＰＵ７３は、各リール３Ｌ，３Ｃ，３Ｒの回転角度（主に、リールが図柄何個分だけ回転したか）を管理する。
【００７４】
ここで、各リール３Ｌ，３Ｃ，３Ｒの回転角度の管理について、具体的に説明する。ステッピングモータに対して出力されたパルスの数は、メインＲＡＭ７５に設けられたパルスカウンタによって計数される。そして、図柄１つ分の回転に必要な所定回数（例えば１６回）のパルスの出力がパルスカウンタで計数される毎に、メインＲＡＭ７５に設けられた図柄カウンタが１ずつ加算される。図柄カウンタは、各リール３Ｌ，３Ｃ，３Ｒに応じて設けられている。図柄カウンタの値は、リール位置検出部（不図示）によってリールインデックスが検出されるとクリアされる。
【００７５】
つまり、本実施の形態では、図柄カウンタを管理することにより、リールインデックスが検出されてから図柄何個分の回転が行われたのかを管理するようになっている。したがって、各リール３Ｌ，３Ｃ，３Ｒの各図柄の位置は、リールインデックスが検出される位置を基準として検出される。
【００７６】
上述したように、本実施の形態では、滑り駒数の最大数を図柄４個分に定めている。したがって、左ストップボタン１７Ｌが押されたときに左表示窓４Ｌの中段にある左リール３Ｌの図柄と、その４個先の図柄までの範囲内にある各図柄が、左表示窓４Ｌの中段に停止可能な図柄となる。
【００７７】
＜副制御回路＞
次に、副制御基板４１により構成される副制御回路８１について、図８を参照して説明する。
図８は、パチスロ１の副制御回路８１の構成例を示すブロック図である。
【００７８】
副制御回路８１は、主制御回路７１と電気的に接続されており、主制御回路７１から送信されるコマンドに基づいて演出内容の決定や実行等の処理を行う。副制御回路８１は、基本的に、サブＣＰＵ８２、サブＲＡＭ８３、レンダリングプロセッサ８４、描画用ＲＡＭ８５、ドライバ８６を含んで構成されている。
【００７９】
サブＣＰＵ８２は、主制御回路７１から送信されたコマンドに応じて、ロムカートリッジ基板６１に記憶されている制御プログラムに従い、映像、音、光の出力の制御を行う。ロムカートリッジ基板６１は、基本的に、プログラム記憶領域とデータ記憶領域によって構成される。
【００８０】
プログラム記憶領域には、サブＣＰＵ８２が実行する制御プログラムが記憶されている。例えば、制御プログラムには、主制御回路７１との通信を制御するための主基板通信タスクや、演出用乱数値を抽出し、演出内容（演出データ）の決定及び登録を行うための演出登録タスクが含まれる。また、決定した演出内容に基づいて液晶表示装置１０（図６参照）による映像の表示を制御する描画制御タスク、ランプ（ＬＥＤ）２０による光の出力を制御するランプ制御タスク、スピーカ４８Ｌ，４８Ｒ，４９Ｌ，４９Ｒによる音の出力を制御する音声制御タスク等が含まれる。
【００８１】
データ記憶領域は、各種データテーブルを記憶する記憶領域、各演出内容を構成する演出データを記憶する記憶領域、映像の作成に関するアニメーションデータを記憶する記憶領域が含まれている。また、ＢＧＭや効果音に関するサウンドデータを記憶する記憶領域、光の点消灯のパターンに関するランプデータを記憶する記憶領域等が含まれている。
【００８２】
サブＲＡＭ８３は、決定された演出内容や演出データを登録する格納領域や、主制御回路７１から送信される内部当籤役等の各種データを格納する格納領域が設けられている。
【００８３】
サブＣＰＵ８２、レンダリングプロセッサ８４、描画用ＲＡＭ（フレームバッファを含む）８５及びドライバ８６は、演出内容により指定されたアニメーションデータに従って映像を作成し、作成した映像を液晶表示装置１０に表示させる。
【００８４】
また、サブＣＰＵ８２は、演出内容により指定されたサウンドデータに従ってＢＧＭ等の音をスピーカ４８Ｌ，４８Ｒ，４９Ｌ，４９Ｒにより出力させる。また、サブＣＰＵ８２は、演出内容により指定されたランプデータに従ってランプ（ＬＥＤ）２０の点灯及び消灯を制御する。
【００８５】
＜副制御基板ケースの構成＞
次に、副制御基板４１を収容する副制御基板ケース４２について、図９及び図１０を参照して説明する。
図９は、副制御基板ケース４２を示す斜視図である。図１０は、副制御基板ケースの分解斜視図である。
【００８６】
図９に示すように、副制御基板ケース４２は、略長方形の筐体状に形成されたケース本体９１と、このケース本体９１の外面全体を覆うように形成されたメッキ部９２から構成されている。ケース本体９１には、副制御基板４１、ロムカートリッジ基板６１及び液晶中継基板６２が収容されている。
【００８７】
図１０に示すように、副制御基板４１には、グラフィックモジュール６３と、カートリッジ用コネクタ６４と、中継基板接続コネクタ６５が設けられている。また、副制御基板４１には、液晶中継基板６２が実装される。
【００８８】
グラフィックモジュール６３は、液晶表示装置１０（図６参照）に演出用の画像を出力するための組み込みモジュールである。カートリッジ用コネクタ６４には、ロムカートリッジ基板６１が接続され、中継基板接続コネクタ６５には、副中継基板４３（図６参照）が接続される。また、副制御基板４１には、液晶中継基板６２が実装される。
【００８９】
これにより、副制御基板４１により構成される副制御回路８１のサブＣＰＵ８２には、ロムカートリッジ基板６１、液晶中継基板６２、グラフィックモジュール６３、副中継基板４３が接続される。
【００９０】
ケース本体９１は、下ケース部材９４と、上ケース部材９５を有している。
下ケース部材９４は、略長方形の板状に形成されており、固定用ボス９６と、貫通孔９７を有している。
【００９１】
副制御基板４１は、ねじ（不図示）によって固定用ボス９６に固定される。そのため、固定用ボス９６には、ねじ（不図示）が螺合される雌ねじ部が形成されている。貫通孔９７には、下ケース部材９４をフロントドア２ｂに取り付けるためのねじ（不図示）が貫通する。つまり、ねじによって下ケース部材９４をフロントドア２ｂに取り付けることにより、副制御基板ケース４２は、フロントドア２ｂの裏面側に固定される。
【００９２】
また、下ケース部材９４の周縁には、係合縁部９８が設けられている。この係合縁部９８は、下ケース部材９４の上ケース部材９５に対向する面から略垂直に突出している。そして、係合縁部９８には、上ケース部材９５の後述する４つの側面板１０２〜１０４がそれぞれ係合される。
【００９３】
上ケース部材９５は、略長方形の上面板１０１と、この上面板１０１の４辺にそれぞれ連続する４つの側面板１０２，１０３，１０４，１０５を有している。
上面板１０１は、平面形状が略長方形に形成されている。そして、上面板１０１には、平面に交差する方向に段差が設けられている。そのため、上面板１０１は、第１上面１０１ａと、第１上面１０１ａよりも低い第２上面１０１ｂを有している。
【００９４】
上面板１０１の第１上面１０１ａは、側面板１０２，１０３側の２つの長辺の一部と、側面板１０４側の短辺を形成している。この第１上面１０１ａには、複数の通気孔１０７ａからなる第１通気口１０７と、複数の通気孔１０８ａからなる第２通気口１０８が設けられている。
【００９５】
第２上面１０１ｂは、側面板１０２，１０３側の２つの長辺の他部と、側面板１０５側の短辺を形成している。この第２上面１０１ｂには、ロムカートリッジ基板６１を交換する際に用いるカートリッジ用開口部（不図示）が設けられている。このカートリッジ用開口部は、封止蓋１１１によって封止されている。そして、封止蓋１１１には、封印バンド１１２をカシメ固定するバンド固定部１１１ａが設けられている。
【００９６】
封印バンド１１２は、上面板１０１に設けられた通し孔に通されている。したがって、封印バンド１１２を上面板１０１から取り外さなければ、上面板１０１から封止蓋１１１を取り外すことができない。また、封印バンド１１２は、バンド固定部１１１ａによって取り外す方向へ動かないように固定されている。
【００９７】
封印バンド１１２を上面板１０１から取り外す際は、工具を用いて封印バンド１１２を切断する。これにより、上面板１０１から封止蓋１１１を取り外すことができる。このとき、封印バンド１１２が切断されているため、封止蓋１１１を開封した痕跡が残る。これにより、ロムカートリッジ基板６１が交換されたり取り外されたりしたことを容易に認識することができる。その結果、ロムカートリッジ基板６１に対する不正を抑制することができる。
【００９８】
図９に示すように、側面板１０２には、複数の通気孔１１３ａからなる第３通気口１１３が設けられている。複数の通気孔１１３ａは、スリット状に形成されており、上面板１０１の長辺に沿って適当な間隔をあけて配置されている。
また、側面板１０３の側面板１０５側の端部には、複数の通気孔１１４ａからなる第４通気口１１４が設けられている（図１０参照）。
【００９９】
側面板１０４，１０５には、封印シール１１６Ａ，１１６Ｂがそれぞれ貼り付けられている。封印シール１１６Ａ（図１０参照）は、下ケース部材９４に上ケース部材９５を取り付けた後に、側面板１０４と下ケース部材の一方の短辺に跨って貼り付けられる。また、封印シール１１６Ｂは、下ケース部材９４に上ケース部材９５を取り付けた後に、側面板１０５と下ケース部材の他方の短辺に跨って貼り付けられる（図９参照）。これら封印シール１１６Ａ，１１６Ｂは、副制御基板ケース４２が開封された痕跡を残すために用いられている。
【０１００】
また、側面板１０５には、中継基板接続コネクタ６５を露出させる切り欠き１１７が設けられている（図９参照）。
【０１０１】
下ケース部材９４と上ケース部材９５により構成されるケース本体９１の材質としては、軽量化と剛性を考慮すると、ポリカーボネートなどの合成樹脂を用いることが好ましい。なお、本発明に係るケース本体の材質としては、アルミニウムやステンレスなどの金属を適用することもできる。
【０１０２】
メッキ部９２は、一般的なメッキ加工処理によって形成される。本実施の形態では、下地メッキに銅を用いて、その上にニッケルメッキとクロメート処理を施している。本実施の形態では、上述のメッキ加工処理を施してメッキ部９２を形成したが、本発明に係るメッキ部としては、電磁波の遮断に良好なものであれば、各種のメッキ加工処理により形成することができる。
【０１０３】
このように構成された副制御基板ケース４２は、副制御基板４１を囲うように収容すると共に、外面に形成されたメッキ部９２により電磁波（電気的ノイズ及び／又は磁気的ノイズ）を遮断する。そのため、副制御基板ケース４２に収容された副制御基板４１（副制御回路８１）が電磁波の影響を受けにくい構造を実現することができる。
【０１０４】
また、副制御基板ケース４２は、ケース本体９１の外面全体にメッキ部９２を形成するため、電波遮断シートを用いるよりもコストの削減を図ることができる。
【０１０５】
ケース本体９１には、通気口１０７，１０８，１１３，１１４が設けられている。これにより、副制御基板ケース４２内で暖められた空気を副制御基板ケース４２の外部へ排出して、冷えた空気を副制御基板ケース４２内に取り込むことができる。その結果、副制御基板４１に実装される電子部品を空冷することできる。
【０１０６】
また、ケース本体９１には、段差を設けることにより凹凸が形成されている。これにより、ケース本体９１の外面の面積を大きくすることができ、ケース本体９１の放熱効果を高めることができる。
【０１０７】
例えば、電波遮断シートをケース本体９１の外面に貼り付ける場合は、通気口１０７，１０８，１１３，１１４や複数の凹凸に応じて電波遮断シートを加工しなければならないため、作業工数が増加する。その結果、電磁波を遮断する副制御基板ケースの製造が煩雑になり、製造コストが増大してしまう。
【０１０８】
これに対して、本実施の形態の副制御基板ケース４２は、ケース本体９１の外面にメッキ部９２を形成する。したがって、電磁波を遮断する副制御基板ケース４２を容易に製造することができ、製造コストを低く抑えることができる。
【０１０９】
また、本実施の形態の副制御基板ケース４２は、下ケース部材９４と上ケース部材９５によってケース本体９１を構成した。これにより、ケース本体９１に副制御基板４１を容易に収容することができる。さらに、下ケース部材９４をフロントドア２ｂに固定してから、その下ケース部材９４に副制御基板４１を取り付けることができ、作業性の向上を図ることができる。
【０１１０】
また、本実施の形態の副制御基板ケース４２は、下ケース部材９４と上ケース部材９５に跨って貼り付けられた封印シール１１６Ａ，１１６Ｂを備えている。これにより、副制御基板ケース４２が開封された痕跡を残すことができ、副制御基板ケース４２が不正に開封されることを抑制することができる。
【０１１１】
＜変形例＞
以上、本発明の一実施形態に係る遊技機について、その作用効果も含めて説明したが、本発明はここで説明した実施の形態に限定されるものではない。特許請求の範囲に記載した本発明の要旨を逸脱しない限り、種々の実施の形態を含むことは言うまでもない。
【０１１２】
上述した一実施形態のパチスロ１では、ねじ（不図示）によって副制御基板４１を下ケース部材９４に固定した。また、ねじ（不図示）によって下ケース部材９４をフロントドア２ｂに取り付けた。しかし、下ケース部材９４に対する副制御基板４１の固定と、フロントドア２ｂに対する下ケース部材９４の取り付けは、ねじに限定されず、例えば、接着剤、フック、カシメ固定などその他の固定方法又は取付方法を採用することができる。
【０１１３】
また、上述した一実施形態のパチスロ１では、下ケース部材９４と上ケース部材９５（２つの部材）によってケース本体９１を構成した。しかし、本発明に係るケース本体としては、３つ以上の部材から構成されるものであってもよい。
【０１１４】
また、上述した一実施形態のパチスロ１では、ケース本体９１の外面全体にメッキ部９２を形成したが、ケース本体９１のカートリッジ用開口部を封止する封止蓋１１１の外面にもメッキ部を形成してもよい。これにより、より確実に電磁波を遮断することができる。
【符号の説明】
【０１１５】
１…パチスロ（遊技機）、  ２…外装体、  ２ａ…キャビネット、  ２ｂ…フロントドア、  ３Ｌ…左リール、  ３Ｃ…中リール、  ３Ｒ…右リール、  １０…液晶表示装置、  １１…メダル投入口、  １２…ＢＥＴボタン、  １４…精算ボタン、  １６…スタートレバー、  １７Ｌ…左ストップボタン  １７Ｃ…中ストップボタン、  １７Ｒ…右ストップボタン、  １８…メダル払出口、  ３１…主制御基板、  ４１…副制御基板、  ４２…副制御基板ケース、  ７１…主制御回路、  ８１…副制御回路、  ８２…サブＣＰＵ、  ８３…サブＲＡＭ、  ８４…レンダリングプロセッサ、  ８５…描画用ＲＡＭ、  ８６…ドライバ、  ９１…ケース本体、  ９４…下ケース部材、  ９５…上ケース部材、  ９６…固定用ボス、  ９７…貫通孔、  ９８…係合縁部、  １０１…上面板、  １０１ａ…第１上面、  １０１ｂ…第２上面、  １０２，１０３，１０４，１０５…側面板、  １０７，１０８，１１３，１１４…第１通気口、  １０７ａ，１０８ａ，１１３ａ，１１４ａ…通気孔、  １１１…封止蓋、  １１１ａ…バンド固定部、  １１２…封印バンド、  １１６Ａ，１１６Ｂ…封印シール
【図１】
2015186706.tif 000003
【図２】
2015186706.tif 000004
【図３】
2015186706.tif 000005
【図４】
2015186706.tif 000006
【図５】
2015186706.tif 000007
【図６】
2015186706.tif 000008
【図７】
2015186706.tif 000009
【図８】
2015186706.tif 000010
【図９】
2015186706.tif 000011
【図１０】
2015186706.tif 000012